(57)【特許請求の範囲】
【請求項１】
壁孔から臨む換気パイプの端部に内挿される挿入部を備えて該換気パイプに取着される換気器具であって、
前記挿入部に、一端側が該挿入部の外面に接合され、他端側が前記換気パイプの内部空間より外方に張り出し、取着時に該換気パイプの内方に撓むとともに、弾性復帰力により前記換気パイプの内面に圧接する弾性片が設けられ、
前記弾性片は、前記一端側から前記他端側へと延びる方向が前記挿入部の周方向に形成されているとともに、幅方向における挿入方向奥側端部が前記一端側から前記他端側にかけて挿入方向手前側に傾斜していることを特徴とする換気器具。
【請求項２】
壁孔から臨む換気パイプの端部に内挿される挿入部を備えて該換気パイプに取着される換気器具であって、
前記挿入部は、径の異なる大小２種類の前記換気パイプに対応して挿入すべく、挿入方向奥側に小径の前記換気パイプに対応する小径挿入部が設けられ、挿入方向手前側に大径の前記換気パイプに対応する大径挿入部が設けられて成り、
挿入方向において隣り合う前記小径挿入部と前記大径挿入部との間に、前記小径の換気パイプに挿入された際に、該小径の換気パイプの開口端に当接して挿入が規制される規制段部が設けられ、
前記各挿入部に、一端側が該挿入部の外面に接合され、他端側が前記換気パイプの内部空間より外方に張り出し、取着時に該換気パイプの内方に撓むとともに、弾性復帰力により前記換気パイプの内面に圧接する弾性片が設けられ、
更に、少なくとも前記大径挿入部に設けられた前記弾性片は、前記一端側から前記他端側へと延びる方向が前記大径挿入部の周方向に形成されているとともに、幅方向における挿入方向奥側端部が前記一端側から前記他端側にかけて挿入方向手前側に傾斜していることを特徴とする換気器具。
【発明の詳細な説明】
【技術分野】
【０００１】
本発明は、壁孔から臨む換気パイプの端部に内挿される挿入部を備えて該換気パイプに取着される、換気扇、換気フード等の換気器具に関するものである。
【背景技術】
【０００２】
アパート、マンション等の空き部屋は、定期的に室内空気を入れ替えて換気する必要があるが、空き部屋のため電気の供給が停止しており換気扇を使用できないことから、定期的に窓や扉を開放するなどして室内換気が行なわれている。しかし、空き部屋に出向いて室内空気を入れ替えるのは面倒であった。
そこで、特許文献１では、既設のエアコンの配線、配管用の壁孔を換気パイプとして利用し、これに換気扇を取り付け、太陽電池を使用して換気する技術が開示されている。この換気扇によれば、太陽電池により基本的には常時換気が行なわれるため、定期的に空き部屋に出向いて空気の入れ替え作業を行なう必要はない。
【０００３】
ここで、換気パイプに取着される換気扇は、例えば、特許文献２に記載のように、換気扇の筒状の挿入部の外面に断面く字状に折曲されたスプリング等の弾性片を設け、その弾性復帰力により円筒状の換気パイプの内面に突張らせて取付けていた。
【先行技術文献】
【特許文献】
【０００４】
【特許文献１】特開２００９−１０９０４３公報
【特許文献２】特許第４１１２７８８号公報（図１５）
【発明の概要】
【発明が解決しようとする課題】
【０００５】
ところで、この種の弾性片により換気扇を換気パイプに強固に取着するには、弾性片の突張り力を大きくする必要があり、そのために、弾性片の長さを大きくする必要があった。また、換気パイプの径に対応して換気扇を取着するためにも、同様に、弾性片の長さを大きくする必要があった。
【０００６】
しかし、弾性片は、その基端部が換気扇の円筒状の挿入部の外面に接合され、換気パイプの軸方向つまりは換気扇の挿入部の軸方向に向けて突設されていた。このため、弾性片を長くすると、換気扇の挿入部も長くする必要があり、換気パイプへの内挿量が大きくなって換気扇全体が大型化し、取着時の取り扱いが不便となり、運搬、保管等にも不便をきたした。
【０００７】
また、換気パイプには、その端部に取着される換気器具として、換気扇の他、壁裏側に換気フードが取付けられることもあり、その取付けにおいても、同様の弾性片を使用して換気パイプの内面に突張らせて取着するものがあるが、その換気フードと換気扇とを換気パイプの両端部に取付けたときに、突張り強度を増すためにそれぞれの弾性片を長めに設定すると、換気パイプ内で挿入端部同士が干渉して取付けできないこともあった。
【０００８】
更に、大径の挿入部と小径の挿入部とを換気パイプの軸方向にずらして並設させることにより、１個の換気扇で、径の異なる大小２種類の換気パイプに対応して取着するものを考えた場合、これを小径の換気パイプに取着したときに、大径の挿入部の部分は換気パイプの外部である壁表側にはみ出すことになる。そのとき、大径の挿入部に設けられている弾性片が上記と同様に長めに設定されていると、その分大径の挿入部は換気パイプの端部から壁表に大きくはみ出してしまうため、室内側の見栄えを著しく低下させてしまうことになる。
【０００９】
そこで、本発明は、換気パイプへの取着強度を増すため、或いは、換気パイプの径に対応して取着するために、換気パイプの内面に圧接される弾性片を長くすることに伴って、前記弾性片が設けられ換気パイプの端部に内挿される挿入部の軸方向長さが大きくなるのを防止できる換気器具の提供を課題とするものである。
【課題を解決するための手段】
【００１２】
請求項１及び２の換気器具は、換気パイプの端部に内挿される挿入部に、一端側が該挿入部の外面に接合され、他端側が換気パイプの内部空間より外方に張り出し、取着時に該換気パイプの内方に撓むとともに、弾性復帰力により前記換気パイプの内面に圧接する弾性片が設けられ、該弾性片は、前記一端側から前記他端側へと延びる方向が前記挿入部の周方向に設けられているとともに、幅方向における挿入方向奥側端部が前記一端側から前記他端側にかけて挿入方向手前側に傾斜したものである。
請求項２の換気器具は、更に、挿入部は、径の異なる大小２種類の前記換気パイプに対応して挿入すべく、挿入方向奥側に小径の前記換気パイプに対応する小径挿入部が設けられ、挿入方向手前側に大径の前記換気パイプに対応する大径挿入部が設けられて成り、挿入方向において隣り合う前記小径挿入部と前記大径挿入部との間に、前記小径の換気パイプに挿入された際に、該小径の換気パイプの開口端に当接して挿入が規制される規制段部が設けられている。
【発明の効果】
【００１３】
請求項１の発明は、弾性片の一端側から他端側へと延びる方向が挿入部及び換気パイプの周方向に形成されているので、換気パイプへの換気器具の取着強度を増すために、或いは、換気パイプの径に対応して取着するために、挿入部に設けられて換気パイプの内面に圧接される弾性片の長さを大きくしても、挿入部における換気パイプの軸方向長さは変わらない。つまり、弾性片の弾発力の確保や換気パイプの径に対応すべく弾性片を長めに設定したまま換気パイプ内への挿入部の挿入量を小さくできる。その結果、換気扇を換気パイプ内に挿入する際に取り扱いやすく、挿入作業を円滑かつ楽に行なうことができるとともに、換気扇が小型化、軽量化して、管理や保管が容易となる。また、壁を挟んだ換気パイプの両端部に換気器具としての換気扇と換気フードとを取着するときには、換気器具の挿入部や弾性片の先端部が互いに干渉して取付け不能となるのを防止できる。
【００１４】
請求項２の発明は、少なくとも大径挿入部に設けられた弾性片の一端側から他端側へと延びる方向が大径挿入部及び換気パイプの周方向に形成されているので、径の異なる大小２種類の換気パイプに対応した換気扇において、請求項１と同様に前記弾性片を長めに設定しても、少なくとも大径挿入部の軸方向長さは変わらず、短かいものとなる。これにより、換気扇を小径の換気パイプに取付けたとき、大径挿入部が換気パイプの端部から壁表にはみ出す長さを小さくできる。その結果、室内側の見栄えが低下するのを防止できる。
【００１５】
請求項１及び２の発明は、  換気パイプの端部に内挿される挿入部の周方向に設けられた弾性片の幅方向における挿入方向奥側端部が一端側から他端側にかけて挿入方向手前側に傾斜しているため、他端側は取着前において換気パイプの内部空間より外方に張り出していても、最初に一端側が換気パイプ内に挿入された後、以降の延設部分における挿入方向奥側端部は順次換気パイプの開口端に当接しつつ内部空間側に導かれるようにして押し込まれ換気パイプ内に挿入されていく。したがって、前記弾性片は、挿入方向奥側端部が換気パイプの開口端につかえて挿入が阻止されることなく円滑に換気パイプ内に挿入され取着される。
【図面の簡単な説明】
【００１６】
【図１】本発明の実施形態の換気扇を表側から見た斜視図である。
【図２】図１の換気扇を示し、(a)は裏側から見た斜視図、(b)は正面図、(c)は右側面図、(d)は背面図、(e)は(d)のＡ−Ａ切断線による断面図である。
【図３】図２の換気扇本体を示し、(a)は表側から見た斜視図、(b)は裏側から見た斜視図、(c)は正面図、(d)は右側面図、(e)は(c)のＢ−Ｂ切断線による断面図である。
【図４】図２のフィルタを示し、(a)は表側から見た斜視図、(b)は裏側から見た斜視図、(c)は正面図、(d)は右側面図である。
【図５】図２のファンを示し、(a)は表側から見た斜視図、(b)は裏側から見た斜視図、(c)は正面図、(d)は右側面図、(e)は(c)のＣ−Ｃ切断線による断面図である。
【図６】(a)は図１の換気扇を大径の換気パイプに取着した状態を示す側面図、(b)は小径の換気パイプに取着した状態を示す側面図である。
【図７】換気パイプに換気フード及び図１の換気扇を取着した状態を示す側面図である。
【図８】図７の換気フードを示し、(a)は表側から見た斜視図、(b)は裏側から見た斜視図、(c)は正面図、(d)は右側面図である。
【図９】従来の換気扇及び換気フードを換気パイプに取着した状態を示す側面図である。
【図１０】従来の換気扇を小径の換気パイプに取着した状態を示す側面図である。
【図１１】図１の大径側弾性片の変形例を示し、(a)は要部拡大斜視図、(b)は(a)のＤ−Ｄ切断線による断面図である。
【発明を実施するための形態】
【００１７】
以下、本発明の実施形態を図に基づいて説明する。
図１及び図２において、アパート、マンション等の壁７４に形成された壁孔７５から臨む円筒状の換気パイプ７１の端部には換気器具としての換気扇１が取着され、その換気扇１は径の異なる大小２種類の円筒部が軸方向に同軸で並設された形状をなす換気扇本体２と、大径側の円筒部の開口端部に取着されたフィルタ４１と、換気扇本体２の大径側の円筒部の内部に収容されたファン５１とで構成されている。
【００１８】
前記換気扇本体２は、図３に示すように、径の異なる大小２種類の換気パイプ７１に対応して挿入すべく、挿入方向奥側即ち挿入先端側に、小径の換気パイプ７１に対応して内挿される小径の円筒部からなる小径挿入部１１が設けられ、挿入方向手前側即ち挿入後端側に、大径の換気パイプ７１に対応して内挿される大径の円筒部からなる大径挿入部２１が設けられている。挿入方向において隣り合う小径挿入部１１と大径挿入部２１との境界部には、小径挿入部１１が小径の換気パイプ７１に挿入された際に、小径の換気パイプ７１の開口端７３に当接してそれ以上の挿入が規制される規制段部３１が形成されている。換気扇本体２は、合成樹脂により一体に形成されている。なお、換気扇本体２は、金属板等で形成してもよい。
【００１９】
更に、小径挿入部１１及び大径挿入部２１には、一端側がこれら挿入部の外面に接合され、他端側が換気パイプ７１の内部空間より外方に張り出し、換気パイプ７１への取着時に換気パイプ７１の内方に弾性的に撓むとともに、弾性復帰力によって換気パイプ７１の内面７２に圧接する弾性片が設けられている。
【００２０】
このうち、小径挿入部１１に設けられた小径側弾性片１３は、小径挿入部１１の外面１２に周方向に等間隔で４箇所設けられており、それぞれ一端側が小径挿入部１１の外面１２における挿入方向奥側端部付近に接合されているとともに、他端側は挿入方向手前側に向けて延設されている、即ち、一端側から他端側へと延びる方向が奥側から手前側にかけて換気パイプ７１及び小径挿入部１１の軸方向に設けられている。各小径側弾性片１３は、小径挿入部１１の外面１２を一端部を残してコ字状に切り起こしたようにして一定幅の短冊板状に形成され、挿入方向奥側端部付近から外方に突出するように傾斜した後、長さ方向の略中間でく字状に折曲され、その後は小径挿入部１１の外面１２と略平行に延びている。但し、小径側弾性片１３は、く字状に折曲されたものでなくてもよい。また、小径側弾性片１３は、図２に示すような断面平板状のものであってもよく、或いは換気パイプ７１の内面７２や小径挿入部１１の外面１２に合わせた曲率を有する断面円弧板状のものとしてもよい。
【００２１】
次に、大径挿入部２１に設けられた大径側弾性片２３は、大径挿入部２１の外面２２に周方向即ち換気パイプ７１の軸方向と直交する方向に等間隔で４箇所設けられているとともに、それぞれ大径挿入部２１の外面２２において一端側がその外面２２に接合された後、その接合部を基端部として大径挿入部２１の外面２２の周方向に延設されている、即ち、基端部である一端側から開放端部である他端側へと延びる方向が大径挿入部２１及び換気パイプ７１の軸方向と直交する周方向に形成されている。
【００２２】
大径側弾性片２３は大径挿入部２１の外面２２を一端部を残してコ字状に切り起こしたような形状に設けられており、換気パイプ７１の内面７２に圧接されたとき、一部は切り起こされたような形状の空間２４内に嵌め込むことも可能となっている。大径側弾性片２３は、延設方向の形状が大径挿入部２１の外面２２の形状と同じく湾曲面に形成され、その外面の曲率は、大径挿入部２１の外面２２と略同一であり、大径挿入部２１が換気パイプ７１内に挿入され、大径側弾性片２３が換気パイプ７１の内面７２に圧接したときには、換気パイプ７１の内面７２の曲率と略同一となるようにすることもできる。これにより、４箇所の大径側弾性片２３は、換気パイプ７１内に挿入されたとき、換気パイプ７１によって筒状に囲まれ、場合によっては外面全体がほぼ均一に該換気パイプ７１の内面７２に圧接する。その場合、換気パイプ７１の内面７２との圧接面積は大きくなり、圧接強度も大きくなる。なお、大径側弾性片２３の曲率は、必ずしも大径挿入部２１の外面２２と略同一のものとする必要はない。
【００２３】
また、大径側弾性片２３は、一端側である大径挿入部２１との接合部の幅が大径挿入部２１の軸方向長さと略同一に形成されている。また、大径側弾性片２３の一端側から他端側に至る周方向の延設長さは、一端側の基端部２５の幅より長く形成され、換気パイプ７１の内面７２に強く突張って圧接されるに足る十分な長さに形成されている。更に、大径側弾性片２３は、幅方向における挿入方向奥側端部２７が一端側から他端側にかけて挿入方向手前側に直線状に傾斜し、幅は一端側から他端側にかけて徐々に狭く形成され、先細りとなっている。
【００２４】
次に、小径挿入部１１と大径挿入部２１との境界部に形成された規制段部３１は、小径挿入部１１側の面に、所定長さの円弧板状のガイド板３２が周方向に等間隔をおいた４箇所に立設されている。また、規制段部３１には、コ字状に切欠されてなる係止凹部３３が形成されているとともに、壁表側の面の４箇所に位置決め片３４が立設されている。なお、ガイド板３２は、換気扇１が換気パイプ７１に取着される際に、規制段部３１の係止凹部３３から挿入方向奥側に突出する、後述するフィルタ４１の取着脚４６の係止凸部４６ａが、壁７４に突き当たって表装紙が傷付くのを避けるため、壁７４或いは換気パイプ７１の開口端７３と当接して、規制段部３１と壁７４との隙間内に係止凸部４６ａが収まるようにするものである。したがって、ガイド板３２の立設高さは、フィルタ４１の係止凸部４６ａが規制段部３１の係止凹部３３から挿入方向奥側に突出する長さより大きく形成されている。
【００２５】
次に、前記フィルタ４１は、図４に示すように、全体が略円環板状に形成され、円環板部４２の中央の円形穴部分は縦横格子状のフィルタ部４３で一体に覆われている。円環板部４２の周縁には周方向全体に至って所定高さのフランジ４４が円環板部４２に直交して表面側つまり挿入方向手前側に立設されている。なお、フランジ４４の内面には周方向に等間隔をおいて補強リブ４５が設けられている。また、円環板部４２の裏面側の周縁には周方向に等間隔をおいてフランジ４４と反対方向即ち挿入方向奥側に向けて４個の取着脚４６が突設されており、取着脚４６の先端の係止凸部４６ａが換気扇本体２の規制段部３１の係止凹部３３に係止することよって、フィルタ４１は換気扇本体２の大径挿入部２１の内部空間に着脱自在に取付けられ収容されている。
【００２６】
なお、大径挿入部２１の外面２２には大径側弾性片２３が設けられている４箇所に切り起こされたような空間２４が形成されて挿入方向手前側の開口端部周辺部２６の構造的強度、剛性が小さくなるおそれがあるが、内部にフィルタ４１が収容され、フランジ４４の外壁全体が大径挿入部２１の内面２２に当接して支持するので、大径挿入部２１の開口端部周辺部２６が変形するのが防止されている。
【００２７】
前記換気用のファン５１は、図５に示すように、四角枠体５２の内部に羽根５３が収容され、スイッチ５４によって運転停止されるようになっている。ファン５１は、換気扇本体２の規制段部３１の壁表側の面に立設された位置決め片３４の内部側に四角枠体５２の４隅の角部が位置合わせされて収容された後、壁表側からフィルタ４１が取着されることによりフィルタ４１と換気扇本体２の規制段部３１とに挟まれて、換気扇本体２の大径挿入部２１の内部に取付けられ収容されるようになっている。したがって、規制段部３１は、フィルタ４１とともにファン５１を保持する保持手段としても機能し、ファン５１は簡易な構成で一定位置に保持される。ファン５１の電源としては、一般家庭用電源が用いられる他、蓄電機能を備えた太陽電池を用いることもでき、太陽電池を使用した場合は、アパート、マンション等の空き部屋の換気に好適である。なお、ファン５１は、大径挿入部２１内に収容されているが、これに限られるものではなく、小径挿入部１１内に収容してもよく、或いは、両挿入部に跨った位置に収容することもできる。
【００２８】
次に、このように構成された本実施形態の換気扇１は、大径及び小径の換気パイプ７１に取着することができる。まず、換気扇１を大径の換気パイプ７１に取付ける場合は、小径挿入部１１を先頭にして大径の換気パイプ７１内に換気扇１全体を挿入する。すると、大径側弾性片２３は換気パイプ７１の内面７２に押圧されて大径挿入部２１の外面２２と接合される一端側の基端部２５を軸に内部空間側に弾性的に撓んで換気パイプ７１内に収容された後、弾性復帰力により換気パイプ７１の内面７２に突張り圧接される。これにより、換気扇１は、図６(a)に示すように、全体が大径の換気パイプ７１内に収容される。ここで、大径側弾性片２３の周方向即ち延設方向の部分が湾曲形成され、その外面の曲率が、大径の換気パイプ７１内に挿入されたときに、該換気パイプ７１の内面７２の曲率と略同一となるように形成されている場合は、その外面全体がほぼ均一に換気パイプ７１の内面７２に圧接し、換気扇１は安定して取着される。なお、図６(a)で、大径挿入部２１の外面２２と換気パイプ７１の内面７２との間に隙間を生じているが、これは、この部分は大径側弾性片２３が設けられていないからであり、大径側弾性片２３は、図６(a)においては大径挿入部２１の奥側で換気パイプ７１の内面７２に圧接している。取着後は、換気パイプ７１の開口端７３と壁孔７５との間にはパテ材が詰め込まれる。
【００２９】
ここで、大径側弾性片２３は、挿入方向奥側端部２７が一端側から他端側にかけて挿入方向手前側に直線状に傾斜し、幅は一端側から他端側に向けて徐々に狭くなっている。このため、他端側は取着前において換気パイプ７１の内部空間より外方に張り出していても、最初に、基端部２５であって換気パイプ７１の内面７２より内部空間側にある一端側が換気パイプ７１内に挿入された後、以降の延設部分における挿入方向奥側端部２７は順次換気パイプ７１の開口端７３に当接しつつ内部空間側に導かれるように押し込まれ換気パイプ７１内に挿入されていく。したがって、大径側弾性片２３は、他端側が換気パイプ７１の内部空間より外方に張り出していても、延設部分における挿入方向奥側端部２７が換気パイプ７１の開口端７３につかえて挿入が阻止されることなく全体が円滑に換気パイプ７１内に挿入され取着される。
【００３０】
次に、換気扇１を小径の換気パイプ７１に取付ける場合は、図６(b)に示すように、小径挿入部１１を小径の換気パイプ７１内に挿入する。すると、小径側弾性片１３は小径挿入部１１の外面１２に接合されている一端側の基端部１５を軸に弾性的に換気パイプ７１の内部空間側に撓んで収容された後、弾性復帰力によりく字状の折曲部が換気パイプ７１の内面７２に圧接される。そして、規制段部３１が換気パイプ７１の開口端７３に当接すると、それ以上の進入が阻止される。これにより、大径挿入部２１は、図６(b)に示すように、壁表側に露出した状態にはみ出る。その後、換気パイプ７１の開口端７３と壁孔７５との間にはパテ材が詰め込まれる。
【００３１】
ところで、図６(a)、(b)に示したものは、換気パイプ７１に換気扇１のみを取着した場合を示すが、換気パイプ７１には、換気扇１に加えて、反対側端部に換気器具としての換気フードが取付けられる場合もあり、それを図７に示す。図７において、換気扇１は屋内側、換気フード６１は屋外側に取付けられており、換気扇１は全体が換気パイプ７１内に収容され取着されている。ここで、換気フード６１は、図８に示すように、下方が開口して屋外に配置されるカバー部６２と、換気パイプ７１内に挿入される円筒状の取着部６３とで構成されている。取着部６３の外面６４には、周方向に等間隔で複数、図８では３箇所に弾性片６５が設けられている。弾性片６５は、換気扇１の小径側弾性片１３と同様、一定幅の短冊状に形成され、一端側が壁裏側から見て挿入方向奥側端部付近に接合され、他端側は挿入方向手前側に向けて取着部６３及び換気パイプ７１の軸方向に延設されているとともに、長さ方向の略中間でく字状に折曲されている。また、取着部６３における挿入方向奥側の開口の下部は雨水の浸入を防ぐ水切り用の遮蔽板６６で塞がれている。
【００３２】
次に、換気扇１の作用を説明する。
換気扇１は、弾性片の一端側から他端側へと延びる方向が挿入部及び換気パイプ７１の周方向に形成されているので、弾性片の弾発力を確保して換気パイプ７１への換気器具の取着強度を増すために、或いは、換気パイプ７１の径に対応して取着するために、挿入部に設けられて換気パイプ７１の内面７２に圧接される弾性片を長く設定しても、挿入部の軸方向長さは変わらず短かいものとなる。逆に言えば、換気パイプ７１への挿入量を維持したまま各弾性片を長くすることができる。
【００３３】
その結果、挿入部が短かいことによって、図６(a)等において、換気扇１を換気パイプ７１内に挿入する際に取り扱い易く、挿入作業を円滑かつ楽に行なうことができるとともに、換気扇１が小型化、軽量化して管理や保管が容易となる。また、壁７４を挟んだ換気パイプ７１の両端側に換気扇１と換気フード６１とを取着するときは、これら換気器具の挿入部の先端部同士が互いに干渉することによってこれらの換気器具の取付けが不能となるのを防止することができる。
【００３４】
即ち、図９に示すように、従来の換気扇８１は、大径挿入部８２の大径側弾性片８３が一端側から他端側にかけて軸方向に延設されているため、大径側弾性片８３が長めに設定されていたり、換気フード６１の取着部６３が長く設定されていたり、壁７４の厚さが小さかったりすると、換気扇８１の小径挿入部１１の奥側先端部が換気フード６１の取着部６３の奥側先端部の遮蔽板６６と干渉し、これらの換気器具を換気パイプ７１に取着できない事態が生じ得る。
【００３５】
しかし、通常、換気扇の大径挿入部の大径側弾性片は、幅より延設長さの方が大きいところ、本実施形態の大径側弾性片２３の場合は、一端側から他端側へと延びる方向が大径挿入部２３及び換気パイプ７１の周方向に形成されていることによって、図７に示す大径挿入部２１の軸方向長さＬ１は、図９に示す従来の大径挿入部８２の軸方向長さＬ２より小さい。したがって、図７に示すように、換気扇１と換気フード６１とが挿入部において互いに干渉するのを防止することが可能となっている。従来との差は、大径側弾性片を長くして換気パイプ７１の内面７２への突張り力を増す程拡大する。なお、小径側弾性片１３が換気扇１の小径挿入部１１の奥側先端から更に軸方向外側まで突出していたり、換気フード６１の弾性片６５が取着部６３の奥側先端から更に軸方向外側まで突出しているものである場合は、弾性片同士、或いは弾性片と小径挿入部１１または取着部６３とが互いに干渉するのが防止される。
【００３６】
他に、換気扇１を小径の換気パイプ７１に取付けた場合では、図６(b)に示すように、大径挿入部２１は壁表側にはみ出すものの、そのはみ出し量を小さくすることができ、それによって、室内側の見栄えの低下を抑えることができる。
【００３７】
即ち、従来は、図１０に示すように、換気扇８１の大径挿入部８２の大径側弾性片８３が一端側から他端側にかけて軸方向に延設されているため、換気パイプ７１の内面７２への突張り力を増強するために大径側弾性片８３を長くすることに比例して、大径挿入部８２が壁表にはみ出す量は拡大し、室内側の見栄えが低下してしまった。
【００３８】
しかし、本実施形態の大径側弾性片２３は、図６(b)に示すように、大径側弾性片２３の長さ如何に拘わらず、軸方向長さ即ち幅は不変であり、従来の軸方向に延びた大径側弾性片８３の長さより相当小さいので、大径挿入部２１が換気パイプ７１の開口端７３から壁表側にはみ出す長さを相当小さくでき、見栄えの低下を抑えることができる。
【００３９】
ところで、上記実施形態の換気扇１の小径側弾性片１３及び換気フード６１の弾性片６５は、一端側から他端側にかけて換気パイプ７１の軸方向に延設されているが、本発明を実施する場合は、これらにおいても、大径側弾性片２３と同じく、一端側から他端側にかけて換気パイプ７１の周方向に延設してもよく、この場合は、換気扇１の各挿入部及び換気フード６１の取着部６３の長さを短縮でき、壁７４の厚さが更に小さい場合にも対応して、換気扇１と換気フード６１との端部同士が干渉するのを防止できる。
【００４０】
また、上記実施形態の換気扇１は、大径挿入部２１と小径挿入部１１との２段に形成されているが、挿入部は、軸方向の全長に至って同一径であって規制段部３１を有しないものであってもよく、或いは逆に、大、中、小径の挿入部と３段以上に形成したものであってもよく、これらの場合も、挿入部に設けた弾性片を、一端側から他端側にかけて換気パイプ７１の周方向に延設したものとすることにより、挿入部の軸方向長さを短縮でき、壁７４の厚さが小さい場合にも換気パイプ７１内に収容して取着でき、また、換気フード６１をも取付けた場合ではそれとの干渉も防止できる。
【００４１】
そして、大径側弾性片２３は、延設部分における挿入方向奥側端部２７が換気パイプ７１の開口端７３につかえることなく円滑に換気パイプ７１内に挿入させるべく、挿入方向奥側端部２７が一端側から他端側にかけて挿入方向手前側に直線的に傾斜しているが、本発明を実施する場合は、この形状に限られることはなく、挿入方向奥側端部２７が直線状に傾斜したものではなく例えば緩やかな曲線状に傾斜したものであってもよく、また、例えば、図１１(a)、(b)に示すように、挿入方向奥側端部２７を、全長に至って僅かに内部の空間２４側に屈曲または湾曲して傾斜した傾斜部２３ａに形成することもできる。この場合、大径側弾性片２３の幅は、延設部分全長に至って一定としてもよく、上記実施形態と同様に徐々に他端側に向かうに従って狭くなるものとしてもよい。
【００４２】
また、大径側弾性片２３は、一端側から他端側にかけて周方向に延設されている部分が湾曲面に形成されているが、必ずしも湾曲形成されたものでなくてもよく、小径側弾性片１３と同様に長さ方向略中間位置でく字状に折曲したものとしてもよい。
【００４３】
加えて、大径側弾性片２３及び小径側弾性片１３は、周方向に等間隔で４箇所設けられているが、それに限られるものではなく、３箇所或いは５箇所以上設けてもよい。
【００４４】
更に、上記実施形態の換気扇１は、円筒状の換気パイプ７１に適用され取着されるものを示しているが、四角筒状等の換気パイプ７１にも同様に適用することができる。
【符号の説明】
【００４５】
１    換気扇（換気器具）             ２３    大径側弾性片
２    換気扇本体                     ３１    規制段部
１１    小径挿入部                     ７１    換気パイプ
１２、２２  外面                       ７２    内面
１３    小径側弾性片                   ７３    開口端
２１    大径挿入部                     ７５    壁孔
【図１】
0005917189.tif 000002
【図２】
0005917189.tif 000003
【図３】
0005917189.tif 000004
【図４】
0005917189.tif 000005
【図５】
0005917189.tif 000006
【図６】
0005917189.tif 000007
【図７】
0005917189.tif 000008
【図８】
0005917189.tif 000009
【図９】
0005917189.tif 000010
【図１０】
0005917189.tif 000011
【図１１】
0005917189.tif 000012